(57)【要約】【課題】経済的に凝集剤を拡散できる構造を提供する。【解決手段】濁水の発生地と水門を備えた沈砂池の間に流路を形成する。流路は沈砂池の中心に向けた方向ではなく、沈砂池の中心に対して傾斜する方向から接近するように構成する。【選択図】図１
2013180254.tif 000002
【特許請求の範囲】
【請求項１】
濁水の発生地と水門を備えた沈砂池の間に流路を形成し、
流路は沈砂池の中心に向けた方向ではなく、沈砂池の中心に対して傾斜する方向から接近するように構成した、
濁水処理構造。
【請求項２】
請求項１記載の濁水処理構造において、
流路を途中から複数本に分岐し、
すべての流路が沈砂池の岸に対して同一方向に向けた接線方向から接近するように構成した、
濁水処理構造。
【請求項３】
請求項１記載の濁水処理構造において、
流路には、凝集剤を添加する装置を配置した、
濁水処理構造。
【請求項４】
請求項１記載の濁水処理構造において、
流路には、水車とチューブポンプを組み合わせた凝集剤添加装置を配置した、
濁水処理構造。
【請求項５】
請求項１記載の濁水処理構造を少なくとも二組設置し、
第一の処理構造の水門からの流路を、
第二の処理構造へ流入する流路として構成し、
第一の処理構造の流路では土粒子を凝集する凝集剤を添加し、
第二の処理構造の流路では凝集した土粒子を集合体とする凝集剤を添加する、
濁水処理構造。
【発明の詳細な説明】
【技術分野】
【０００１】
本発明は濁水処理構造に関するものである。
【背景技術】
【０００２】
大規模な区画整理や道路の造成、浚渫工事、あるいは客土土取場工事などでは、大量の土砂が発生するが、このような土砂と流水や雨水が一体となると濁流が発生する。
このような濁流が工事現場から外部に流出した場合には河川を汚濁したり人間の生活、あるいは動植物の生態に影響を及ぼす可能性がある。
そこで濁水をいったん面積の広い沈砂池に流入させて流速を低下し、比重の差によって土粒子と水とに分離し、上澄みの水だけを流出する方法が広く採用されている。
さらに、そのような自然沈降の方法では分離に時間がかかるため、凝集剤を添加して強制的に沈降させる方法も開発されている。
【先行技術文献】
【特許文献】
【０００３】
【特許文献１】特開２００６−８２００５号公報
【特許文献２】特開２０１１−２１８２７７号公報
【発明の概要】
【発明が解決しようとする課題】
【０００４】
前記したような凝集剤を添加して強制的に土粒子を沈降させる従来の濁水処理構造にあっては、次のような問題点がある。
＜１＞  凝集剤を添加しても沈砂池に流れがないと薬剤は撹拌されない。そのために薬剤が沈砂池の中で拡散しがたく、その効果を期待することができない。
＜２＞  撹拌するために機械、あるいは作業員によって管理する方法もあるが、その場合には作業員の経費、機械の管理の費用が必要となり不経済である。
【課題を解決するための手段】
【０００５】
上記のような課題を解決する本発明の濁水処理構造は、濁水の発生地と排水水門３を備えた沈砂池の間に流路を形成し、流路は沈砂池の中心に向けた方向ではなく、沈砂池の中心に対して傾斜する方向から接近するように構成したことを特徴としたものである。
さらに上記の濁水処理構造において、流路を途中から複数本に分岐した場合には、すべての流路が沈砂池の岸に対して同一方向に向けた接線方向から接近するように構成したことを特徴としたものである。
さらに上記の濁水処理構造において、流路には、凝集剤を添加する装置を配置したことを特徴としたものである。
さらに上記の濁水処理構造において、流路には、水車とチューブポンプを組み合わせた凝集剤添加装置を配置したことを特徴としたものである。
【発明の効果】
【０００６】
本発明の濁水処理構造は以上説明したようになるから次のような効果のいずれかを得ることができる。
＜１＞  流路から沈砂池への流入水で沈砂池に一方向の流れを形成することができる。そのために流路のいずれかで凝集剤を添加すればその凝集剤は沈砂池の中で生じている流れによって十分に撹拌、拡散して良好な沈殿効果を期待することができる。
＜２＞  濁水の沈降物と上澄みとの分離のために特別な機械や作業員の配置を必要とせず、きわめて経済的である。
＜３＞  流路からの流入水で沈砂池に強制的に流れを起こすため、濁水処理に要する時間を短縮することができる。
【図面の簡単な説明】
【０００７】
【図１】本発明の濁水処理構造の実施例の説明図。
【図２】他の実施例の説明図。
【図３】濁水処理構造に使用する凝集剤添加装置の実施例の説明図。
【発明を実施するための形態】
【０００８】
以下図面を参照にしながら本発明の濁水処理構造の好適な実施の形態を詳細に説明する。
【実施例】
【０００９】
＜１＞前提条件
本発明の濁水処理構造は、濁水の発生地と沈砂池１と、その間に形成した流路２によって構成する。
【００１０】
＜２＞沈砂池
沈砂池１は、周囲を岸で囲み、岸の一部に開口した流路２から濁水が流入する構造である。
そして沈砂池１の一部には水門３を備え、この水門３を開放した場合に濁水の上澄みを排出することができる。
このような沈砂池１の構造は公知である。
【００１１】
＜３＞流路
流路２は通常の水路であり、濁水の発生地と沈砂池１の間に設ける。
この流路２は特に、沈砂池１の中央に向けた方向ではなく、沈砂池１の中央に対して一定の角度を備えた方向から、沈砂池１に接近して濁水を流入するように構成する。
ただし元来沈砂池１は正確な矩形、円形とは限らないから、その場合の沈砂池１の「中央」とは、図形上の正確な中心を意味するものではなく、概略の中央のことである。
【００１２】
＜４＞  流路が複数本の場合
図１の実施例では流路２を本流と、本流から分岐した第一分流２１、第二分流２２で構成する場合を図示している。
この実施例のように、濁水の発生地と沈砂池１を結ぶ流路２は１本に限らず、途中から複数本に分岐して構成することもできる。
あるいは途中から分岐するのではなく同一の発生地と、同一の沈砂池１を複数本の独立した流路で連結することもできる。
いずれの場合にも、すべての流路２が沈砂池１の岸に対して同一方向に向けた接線方向から接近するように構成する。
【００１３】
＜５＞流路の効果
流路２の沈砂池１への接近状態を上記のように構成したことによって、沈砂池１内で一方向への流れを形成することができる。
この流れが後述する凝集剤の撹拌に効果を発揮する。
【００１４】
＜６＞凝集剤添加装置
上記の構成において、流路２に凝集剤を添加する添加装置４を配置することができる。
この添加装置４として例えば毎分数滴の凝集剤を滴下するような公知の液体滴下装置を利用できる。
【００１５】
＜７＞凝集剤の例
添加する凝集剤として代表的なものは、ポリ塩化アルミニュウム（ＰＡＣ）と高分子凝集剤がある。
ＰＡＣは土粒子を凝集し、高分子凝集剤はＰＡＣで凝集した土粒子を集めてフロックとするように作用する。
フロックとは、凝集作用によって生成した大きな粒子のことで、浮遊質の集合体である。
したがって凝集剤添加装置４において、まずＰＡＣを添加し、次に高分子凝集剤を添加する、という二段階での投入、添加によって、より効率的な凝集効果を期待することができる。
その場合には２種類の凝集剤添加装置４で添加するか、あるいは同じ凝集剤添加装置４で２回に分けて添加することになる。
【００１６】
＜８＞水車による押出し（図３）
凝集剤添加装置４として、流路２への濁水の流入量と、凝集剤の供給を関連させる装置を設置することもできる。
そのために、流路２には水流で回転する水車４１を設置する。
一方、この水車４１に接近してポンプ４２を設置し、両者の回転軸４３を連結する。
このポンプとしてたとえばチューブポンプ４２を利用する。
このポンプ４２はチューブ、ホースなどの柔軟性のある管路を、複数のローラで絞って内部の凝集剤を連続的に押し出す構造である。
その場合にチューブポンプ４２の管路の直径、管路を周囲から加圧するローラの個数や位置、および水車４１の大きさ、羽根の位置などを適宜設定すれば、水車の回転によって流路２の増水に応じた量の凝集剤を供給することができる。
【００１７】
＜９＞機能の説明
次に上記の濁水処理装置の機能について説明する。
【００１８】
＜１０＞流れの発生
本発明の沈砂池１へは流路２から濁水が供給される。
その場合に濁水は沈砂池１の中心に向けてではなく、角度を持って流入してくる。
そのために沈砂池１では一方向の流れが発生する。
流路２が複数の場合にも、各流路２からの濁水は、沈砂池１に対して同一方向に向けて流入してくるからさらに容易に一方向への流れを発生させることができる。
【００１９】
＜１１＞凝集剤の拡散
以上の構造によって沈砂池１に一定の方向の流れが発生したら、水門３を閉じた状態で、凝集剤を添加する。
この凝集剤の添加は、流路２、あるいは沈砂池１のいずれかの位置からでも行うことができる。
また添加方法は特に限定することなく、公知の滴下装置を採用して行うことができる。
【００２０】
＜１２＞水車を利用した添加
上記で説明したように、水車４１とチューブポンプ４２を組み合わせた凝集剤添加装置４を利用した場合には、水車４１の回転を動力として柔軟性のある管路内の凝集剤を押し出して流路２に供給することができる。
その場合に流路２の水量が増加すると水車４１の回転が上昇し、チューブなどの管路への押出し速度が増加し、その結果、凝集剤の押出し量を増やすことができる。
このように、水車４１とチューブポンプ４２を組み合わせた凝集剤添加装置４を利用した場合にはまったく人の手を介せず、電力などの動力を必要とせずに、濁水量の増加と凝集剤の押出し添加量の増加を比例させることができる。
【００２１】
＜１３＞水門の開放
凝集剤が沈砂池１内の流れによって十分に拡散され、沈砂池１内の濁水が分離されたら、水門３を開放して上澄みだけを外部に排出する。
沈降した粒径の大きな汚泥は、他の公知の方法で処理する。
【００２２】
＜１４＞他の実施例１（図２）
以上の実施例は１種類の凝集剤によって処理する装置と方法であった。
しかし汚濁物質の性質によっては、２種類の凝集剤を添加することより、より効果的な沈降を促すことができる場合がある。
そのような場合に対応する構造と装置を図２において説明する。
【００２３】
＜１５＞第二沈砂池
前記の実施例とほぼ同様の構成を二組設置する。
すなわち沈砂池と、沈砂池に至る流路、分流路、および水門を一組として、これを二組設ける。
その場合に二か所の沈砂池を、第一沈砂池１ａ、第二沈砂池１ｂと称する。
そして、第一沈砂池１ａの水門からの水路を、第二沈砂池１ｂへ流路に連結する。
この両沈砂池を連結する連結水路を、ＰＡＣ処理水用水路５と称する。
他の構成は前記の実施例と同様であり、各流路２ａ、２ｂ、および各分流２１ａ、２２ａ、２１ｂ、２２ｂから各沈砂池１ａ、１ｂには汚濁水が接線方向から流入して各沈砂池１ａ、１ｂ内で一方向への流れを作る。
処理の最後には、第二沈砂池１ｂの水門３ｂから上澄水を排出することができる。
【００２４】
＜１６＞添加装置
第一沈砂池１ａへの流路２ａには、ＰＡＣ添加装置４ａを設置する。
一方、第二沈砂池１ｂへの流路２ｂには、高分子添加装置４ｂを設置する。
添加するＰＡＣや高分子は、前記の実施例で説明したものである。
【００２５】
＜１７＞ＰＡＣの添加
まず第一沈砂池への流路２ａの汚濁水にＰＡＣ添装置４ａからＰＡＣを投入して添加する。
この添加済みの汚濁水は、流路２ａ、第一分流２１ａ、第二分流２２ａを通過して第一沈砂池１ａへ方向性を持って流入する。
その結果、第一沈砂池１ａの内部で流れを作り、ＰＡＣと汚濁水を効率よく撹拌、混合を行うことができる。
撹拌中には水門３ａを閉めて、十分な撹拌を行い、その後、水門３ａを開放する。
【００２６】
＜１８＞高分子凝集剤の添加
水門３ａが開くと、ＰＡＣで土粒子が凝集し、かつ十分に撹拌された処理水は、ＰＡＣ処理水流路を通って、高分子添加装置４ｂに至る。
その高分子添加装置４ｂによって高分子凝集剤を添加された濁水は、流路２ｂ、第一分流２１ｂ、第二分流２２ｂを流れて、方向性をもって第二沈砂池１ｂに流入する。
そこで十分に撹拌混合すると、高分子凝集剤の効果によって、すでにＰＡＣで凝集された土粒子を集めてフロックとすることができ、沈降が容易となる。
第二沈砂池１ｂの水門を開放することによって、土粒子が十分に沈降した上澄みを水門から排出することができる。
【符号の説明】
【００２７】
１：沈砂池
２：流路
３：水門
４：凝集剤添加装置
４１：水車
４２：チューブポンプ
４３：回転軸
【図１】
2013180254.tif 000003
【図２】
2013180254.tif 000004
【図３】
2013180254.tif 000005